(57)【要約】【課題】外断熱工法によって施工された外壁構造であって、軸組に対する断熱材や縦胴縁等の施工が容易に行えると共に縦胴縁やこの縦胴縁上に張設される外装材の荷重を上記軸組に確実に支持させることができるようにする。【解決手段】柱等の隣接する縦軸材Ａ、Ａ間に断熱材Ｂを張設する際に、縦軸材Ａの外面上で対向する断熱材Ｂ、Ｂの側端面間に金属板からなる支持金具１の垂直な脚片部２を介在させてこの脚片部２の内端に一体に設けている内側取付片４を縦軸材Ａの外面にビスによって固着すると共に、脚片部２の外端部に一体に形成されている断面Ｌ字状の外側取付片３を断熱材Ｂから外方に突出させて断熱材Ｂ上に配設される縦胴縁Ｃをこの外側取付片３によって被覆し、ビスにより縦胴縁Ｃを支持金具１に固定する。この状態にして縦胴縁Ｃ上に外装材Ｆを施工して支持金具１を介して該外装材Ｆを縦軸材Ａに支持せる。【選択図】    図１
2004278004.tif 000002
【特許請求の範囲】
【請求項１】
柱や間柱などの縦軸材の外面間に断熱材を配設すると共にこの断熱材の端部外面側に縦胴縁を配設し、これらの縦胴縁の外面間に外装材を張設してなる外壁構造において、隣接する断熱材の対向側端面間に支持金具を介在させ、この支持金具の内外端部を上記縦軸材と縦胴縁とにそれぞれ固着してこの支持金具を介して上記外装材と縦胴縁を縦軸材に支持させていることを特徴とする外壁構造。
【請求項２】
支持金具は隣接する断熱材の対向側端面間に介在させる垂直な板片からなる脚片と、この脚片の外端に一体に設けられて上記縦胴縁の一側端面から該縦胴縁の外面を被覆する横断面Ｌ字状の外側取付片と、上記脚片の内端から上記外側取付片の縦胴縁外面被覆片部に対して反対方向に直角に屈折してなる内側取付片とからなり、この内側取付片を縦軸材の外面に釘又はビスにより固着する一方、上記外側取付片の縦胴縁外面被覆片部から釘又はビスを縦胴縁及び断熱材に貫通させて上記縦軸材に固着していることを構成していることを特徴とする請求項１に記載の外壁構造。
【請求項３】
外側取付片は脚片の外端から内側取付片と同一方向に直角に屈折して縦胴縁の一側端部の内面を支持する底片部を有し、この底片部から起立する方向に直角に屈折して縦胴縁の一側端面を被覆する側片部を形成していると共にこの側片部の外端から縦胴縁の外面を被覆する被覆片部を屈折、形成してなり、これらの底片部と側片部及び被覆片部とによって上記縦胴縁を受け入れる横向きに開口した断面コ字状の受け入れ溝を形成していると共に、上記脚片の外端側の両端部に外側取付片の上記底片部と相反する方向に直角に屈折して先端が上記被覆片部の先端よりも外側方に突出した長さを有し且つ外面が上記底片部の外面と面一となった支持片を設けていることを特徴とする請求項１に又は請求項２に記載の外壁構造。
【請求項４】
脚片は縦軸材の太さよりも狭い間隔を存して対向した両側脚片部からなり、これらの両側脚片部の内端間に該脚片部に対して直角に屈折した内側取付片を一体に設けていると共に、一方の脚片部の外端に底片部と側片部及び被覆片部とからなる横向きに開口した縦胴縁受け入れ溝を設け、他方の脚片部の外端に支持片を形成していることを特徴とする請求項１、請求項２又は請求項３に記載の外壁構造。
【請求項５】
支持金具は、隣接する断熱材の対向側端面間に介在し且つ縦軸材の太さよりも狭い間隔を存して対向した両側脚片部と、これらの両側脚片部の内端間に一体に連設して上記縦軸材の外面に釘又はビスにより固着する内側取付片と、上記両側脚片部の上端に互いに離間する方向に直角に屈折して縦胴縁の内面両側部をそれぞれ支持する底片部及びこれらの底片部から起立する方向に直角に屈折して縦胴縁の両側面をそれぞれ被覆する側片部とからなる外側取付片とを形成してなり、上記外方に向かって開口した両側の側片部の先端部間を縦胴縁挿入口に形成していると共に、上記側片部に上記縦胴縁に対して釘又はビスを打ち込む取付孔を設けている一方、上記内側取付片に上記縦胴縁の外面から両側脚片部間を通じて縦軸材に打ち込まれる釘又はビスの挿通孔を設けていることを特徴とする請求項１に記載の外壁構造。
【請求項６】
両側脚片部間の空間部に断熱材を充填していることを特徴とする請求項４又は請求項５に記載の外壁構造。
【発明の詳細な説明】
【０００１】
【発明の属する技術分野】
本発明は木造住宅などの建築物における外壁構造、特に、外断熱工法によって施工された外壁構造の改良に関するものである。
【０００２】
【従来の技術】
外断熱工法は、建築物を構成する柱や間柱などの縦軸材や土台、胴差、梁、桁などの横架材からなる軸組の屋外側に断熱材を配設する工法であるために、軸組が結露等によって腐朽するのを長期に亘って防止することができて建物の寿命を延ばすことができ、また、施工が容易である等の利点を有することから、近年、広く採用されている。
【０００３】
このような外断熱工法によって施工される外壁構造としては、従来から、図１８に示すような構造が一般的に知られている。即ち、柱Ａの外面間に断熱材Ｂを配設すると共にこの断熱材Ｂ上に透湿防水シートＧを介して縦胴縁Ｃを重ね合わせてこの縦胴縁Ｃから断熱材Ｂを貫通させてビスＤを柱Ａに打ち込むことにより、断熱材Ｂを縦胴縁Ｃと共に柱Ａに固定し、さらに、縦胴縁Ｃに、外装材Ｄの上下端部を受け入れる上下水平溝部ｅ、ｅを有する留付金具ＥをビスＤ’によって固定し、この留付金具Ｅの上記上下水平溝部ｅ、ｅに上下に隣接する外装材Ｆ、Ｆの上下端部を挿入、支持した構造としている。
【０００４】
しかしながら、この外壁構造によれば、断熱材Ｂや縦胴縁Ｃ、外装材Ｆの荷重がビスＤに直接、作用してこのビスＤがその荷重によって図１９に示すように柱Ａを支点として下方に屈曲し、外装材Ｆが擦れ落ちるという事態が発生することになる。このような事態は、高断熱化のために断熱材Ｂの厚みを厚くしたり、意匠性を良くするために外装材の厚みを厚くした際に、ビスＤの負担が大きくなってさらに発生し易くなる。
【０００５】
このため、軸組における土台等の横架材の外面に、上面が全長に亘って断熱材の厚みよりも幅広く形成された角棒形状の補強材を水平状に重ね合わせてこの補強材を長さ方向に一定間隔毎にボルト・ナットによって横架材に固着したのち、該補強材上に断熱材を立設状態に載置してこの断熱材を柱等の縦軸材に釘着し、さらに、この断熱材の外面に縦胴縁を幅方向に一定間隔毎に重ねると共に該縦胴縁の下端面を上記補強材上に支持させた状態にし、断熱材を貫通させて釘を上記縦軸材に打ち込むことにより縦胴縁を固着したのち、縦胴縁の外面間上に外装材を張設して縦胴縁に釘着した外壁構造が開発されている（例えば、特許文献１参照）。
【０００６】
【特許文献１】
特開平１０−２１２８１３号公報（第２頁、第１図）
【０００７】
【発明が解決しようとする課題】
しかしながら、上記外壁構造によれば、土台等の横架材の外面に角棒形状の補強材を固定するには、予め、横架材に該横架材の内外面間に貫通するボルト挿通孔を長さ方向に一定間隔毎に設けておくと共に、補強材にもその内外面間に貫通するボルト挿通孔を長さ方向に上記横架材のボルト挿通孔と同一ピッチ毎に設けておく必要があるため、これらのボルト挿通孔の穿設作業に手間と熟練を要するばかりでなく、このボルト挿通孔の貫設によって横架材や補強材に亀裂が発生する虞れがある。
【０００８】
さらに、横架材の外面に補強材を取付ける際に、これらの横架材と補強材に設けている各ボルト挿通孔を同軸線上で合致させた状態で補強材側から長尺ボルトを挿通し、建物の屋内側において横架材のボルト挿通孔の開口端に達している該長尺ボルトの先端にナットを順次螺合させるという作業を行わなければならないため、多大な手間と労力を要することになる。また、この補強材は断熱材や縦胴縁の下端面を単に支持しているにすぎず、これらの断熱材や縦胴縁の固定は、別に釘打ちによって行わなければならないために、外壁の施工作業が能率よく行えないという問題点がある。
【０００９】
本発明はこのような問題点に鑑みてなされてもので、その目的とするところは、何等の熟練を要することなく簡単に施工できると共に、縦胴縁や外装材の荷重を柱等の縦軸材に安定的に且つ確実に支持させることができる外壁構造を提供するにある。
【００１０】
【課題を解決するための手段】
上記目的を達成するために本発明の外壁構造は、請求項１に記載したように、柱や間柱などの縦軸材の外面間に断熱材を配設すると共にこの断熱材の端部外面側に縦胴縁を配設し、これらの縦胴縁の外面間に外装材を張設してなる外壁構造において、隣接する断熱材の対向側端面間に支持金具を介在させ、この支持金具の内外端部を上記縦軸材と縦胴縁とにそれぞれ固着してこの支持金具を介して上記外装材と縦胴縁を縦軸材に支持させた構造としている。
【００１１】
このように構成した外壁構造において、請求項２に係る発明は、上記支持金具を、隣接する断熱材の対向側端面間に介在させる垂直な板片からなる脚片と、この脚片の外端に一体に設けられて上記縦胴縁の一側端面から該縦胴縁の外面を被覆する横断面Ｌ字状の外側取付片と、上記脚片の内端から上記外側取付片の縦胴縁外面被覆片部に対して反対方向に直角に屈折してなる内側取付片とから形成し、この内側取付片を縦軸材の外面に釘又はビスにより固着する一方、上記外側取付片の縦胴縁外面被覆片部から釘又はビスを縦胴縁及び断熱材に貫通させて上記縦軸材に固着するように構成している。
【００１２】
さらに、請求項３に係る発明は、上記外側取付片として、脚片の外端から内側板片と同一方向に直角に屈折して縦胴縁の一側端部の内面を支持する底片部を有し、この底片部から起立する方向に直角に屈折して縦胴縁の一側端面を被覆する側片部を形成していると共にこの側片部の外端から縦胴縁の外面を被覆する被覆片部を屈折、形成してなる構成とし、これらの底片部と側片部及び被覆片部とによって上記縦胴縁を受け入れる横向きに開口した断面コ字状の受け入れ溝を形成していると共に、上記脚片の外端側の両端部に外側取付片の上記底片部と相反する方向に直角に屈折して先端が上記被覆片部の先端よりも外側方に突出した長さを有し且つ外面が上記底片部の外面と面一となった支持片を設けていることを特徴とするものである。
【００１３】
また、請求項４に係る発明は、上記脚片を縦軸材の太さよりも狭い間隔を存して対向した両側脚片部から形成してなるもので、これらの両側脚片部の内端間に該脚片部に対して直角に屈折した内側取付片を一体に設けていると共に、一方の脚片部の外端に底片部と側片部及び被覆片部とからなる横向きに開口した縦胴縁受け入れ溝を設け、他方の脚片部の外端に支持片を形成していることを特徴とする。
【００１４】
請求項５に係る発明は、上記請求項２に記載した支持金具とは異なる構造を有する支持金具であって、隣接する断熱材の対向側端面間に介在し且つ縦軸材の太さよりも狭い間隔を存して対向した両側脚片部と、これらの両側脚片部の内端間に一体に連設して上記縦軸材の外面に釘又はビスにより固着する内側取付片と、上記両側脚片部の上端に互いに離間する方向に直角に屈折して縦胴縁の内面両側部をそれぞれ支持する底片部およびこれらの底片部から起立する方向に直角に屈折して縦胴縁の両側面をそれぞれ被覆する側片部とからなる外側取付片とを備えており、上記外方に向かって開口した両側の側片部の先端部間を縦胴縁挿入口に形成していると共に、上記側片部に上記底片部上に配設される縦胴縁に対して釘又はビスを打ち込む取付孔を設けている一方、上記内側取付片に上記縦胴縁の外面から両側脚片部間を通じて縦軸材に打ち込まれる釘又はビスの挿通孔を設けた構造としている。
【００１５】
なお、請求項４又は請求項５に記載の発明において、請求項６に記載したように、両側脚片部間の空間部に断熱材を充填した構造としておくことができ、この構成によって断熱効果を一層高めることができる。
【００１６】
【作用効果】
請求項１に係る発明によれば、支持金具の内端部を柱や間柱などの縦軸材の外面に釘又はビス等により直接固着し、この支持金具の外端部に縦胴縁を釘又はビス等により固着して、該縦胴縁と共に外装材を上記柱等の縦軸材に支持させているので、支持金具に作用する縦胴縁や、外装材の荷重をこの支持金具を介して柱等の縦軸材に直接的に且つ強固に支持させた構造とすることができる。
【００１７】
その上、支持金具を先に施工した断熱材の一側端面にその対向側面を当てがった状態にしてその内端部を柱等の縦軸材に釘又はビス等により固着することができるので、何等の熟練を要することなく簡単に所定位置に固定させることができ、施工性を高めることができる。
【００１８】
さらに、請求項２に係る発明によれば、上記支持金具は、隣接する断熱材の対向側端面間に介在させる垂直な板片からなる脚片と、この脚片の外端に一体に設けられて上記縦胴縁の一側端面から該縦胴縁の外面を被覆する横断面Ｌ字状の外側取付片と、上記脚片の内端から上記外側取付片の縦胴縁外面被覆片部に対して反対方向に直角に屈折してなる内側取付片とから形成し、この内側取付片を縦軸材の外面に釘又はビスにより固着する一方、上記外側取付片の縦胴縁外面被覆片部から釘又はビスを縦胴縁及び断熱材に貫通させて上記縦軸材に固着するように構成しているので、縦胴縁上に取付けられる外装材や該縦胴縁及び断熱材の荷重は上記垂直な板片からなる脚片の板面に平行する方向に作用するから、脚片はその荷重により屈折したりすることなく強固に該荷重を支持し得ると共に、脚片の内端部を柱に固着している釘又はビスは全長に亘って該柱に打ち込まれているので、上記荷重によっても曲げ変形する虞れもなく、長期に亘って安定した支持を行わせることができる。
【００１９】
その上、外壁の施工時には、垂直な板片からなる脚片の一側面を先に施工した断熱材の対向側端面に当接させると、この脚片の外端側に一体に設けている横断面Ｌ字状の外側取付片が該断熱材の側端部上に正確に配設されると共に、脚片の内側取付片は脚片の内端から上記外側取付片とは反対方向に直角に屈折しているので、次に施工すべき断熱材の側端部を載置させる縦軸材の露出面上に接した状態となり、従って、この内側取付片の釘又はビスによる縦軸材に対する固着作業は容易に且つ確実に行うことができるものである。
【００２０】
このように支持金具を縦軸材上に固着すると、先に施工した断熱材の側端部上に縦胴縁の厚み間隔を存して外側取付片の縦胴縁外面被覆片部が配設された状態となり、従って、縦胴縁を断熱材の外面に接して該断熱材の側端部側に移動させることにより簡単に外側取付片内に収納することができると共に、脚片の上端から延長方向に突設している外側取付片の側片部に縦胴縁の対向側端面が当接した状態となって縦胴縁を正確な取付位置に固定することができる。
【００２１】
また、上記外側取付片の縦胴縁外面被覆片部から縦胴縁及び断熱材を貫通させて上記縦軸材に釘又はビスを固着しているので、縦胴縁と断熱材を一体的に縦軸材と外側取付片とに支持させることができると共に、縦胴縁上に取付けられる外装材や該縦胴縁及び断熱材の荷重は、上述したように、垂直な板片からなる脚片によって強固に支持させることができるから、上記釘又はビスは屈曲変形する虞れはない。
【００２２】
請求項３に係る発明によれば、上記支持金具における外側取付片は、脚片の外端から内側取付片と同一方向に直角に屈折して縦胴縁の一側端部の内面を支持する底片部を有し、この底片部から起立する方向に直角に屈折して縦胴縁の一側端面を被覆する側片部を形成していると共にこの側片部の外端から縦胴縁の外面を被覆する被覆片部を屈折、形成してなり、これらの底片部と側片部及び被覆片部とによって上記縦胴縁を受け入れる横向きに開口した断面コ字状の受け入れ溝を形成しているので、この横向き開口端から縦胴縁を横滑り状にしながら該外側取付片の底片部と側片部及び被覆片部で囲まれた空間部内に簡単に収納することができる。
【００２３】
その上、上記外側取付片の底片部は脚片の上端に該上端から直角方向に屈折した状態で一体に設けられているので、この底片部上に支持されている縦胴縁を釘又はビスによって縦軸材側に固定しても、断熱材を圧縮変形させる虞れはないと共に、縦胴縁の外面を垂直面に面一にした状態で且つその取付位置を縦軸材から外方に一定の距離を存した正確な位置に固定することができ、従って、外装材施工時における不陸の発生をなくて精度のよい外観的にも優れた外壁構造を構成することができる。
【００２４】
さらに、外側取付片の上記底片部は、脚片の外端から内側取付片と同一方向に突出しているので、この外側取付片の底片部上に支持される縦胴縁の側部は内側取付片の上方に位置することになり、従って、外側取付片の縦胴縁被覆片部から縦胴縁及び断熱材を貫通して縦軸材に打ち込まれる釘又はビスと上記内側取付片を縦軸材に固着する釘又はビスとの距離が接近し、間柱のような厚みが薄い縦軸材であっても確実に施工することができる。
【００２５】
また、上記脚片の外端側の両端部に、外側取付片の上記底片部と相反する方向に直角に屈折してなる支持片を形成してあり、さらに、この支持片の先端が上記被覆片部の先端よりも外側方に突出した長さを有し且つ外面が上記底片部の外面と面一にしているので、縦胴縁を外側取付片の空間部内に配設する際に、その内面側の一側角部を支持片上に当接させた状態にしてこの支持片上に沿って押し込むことにより、簡単に外側取付片の空間部内に収納することができると共にこの支持片と上記底面部とによって縦胴縁を正確な取付状態に保持することができるものである。
【００２６】
請求項４に係る発明によれば、上記脚片を縦軸材の太さよりも狭い間隔を存して対向した両側脚片部から構成し、これらの両側脚片部の内端間に該脚片部に対して直角に屈折した内側取付片を一体に設けていると共に、一方の脚片部の外端に底片部と側片部及び被覆片部とからなる横向きに開口した縦胴縁受け入れ溝を設け、他方の脚片部の外端に支持片を形成しているので、間柱のように縦軸材の厚みが薄い場合であっても、内側取付片を該縦軸材の外面に密接させた状態にして釘やビスにより確実且つ強固に固定することができると共に、一方の脚片部の外端に設けている底片部と他方の脚片部の外端に設けている支持片とによって縦軸材を正確な位置に安定した状態で強固に支持させることができて上述したように精度のよい外壁構造を施工し得るものである。
【００２７】
一方、請求項５に係る発明によれば、支持金具は、隣接する断熱材の対向側端面間に介在し且つ縦軸材の太さよりも狭い間隔を存して対向した両側脚片部と、これらの両側脚片部の内端間に一体に連設して上記縦軸材の外面に釘又はビスにより固着する内側取付片とを有しているので、上記請求項４に記載の発明と同様に、間柱のように縦軸材の厚みが薄い場合であっても、内側取付片を該縦軸材の外面に密接させた状態にして釘やビスにより確実且つ強固に固定することができるのは勿論、上記両側脚片部の上端に互いに離間する方向に直角に屈折して縦胴縁の内面両側部をそれぞれ支持する底片部及びこれらの底片部から起立する方向に直角に屈折して縦胴縁の両側面をそれぞれ被覆する側片部とからなる外側取付片とを形成しているので、その外方に向かって開口した両側の側片部の先端部間を通じて縦胴縁を両側の支持片部上に容易に収納することができると共に、これらの支持片部によって正確な位置に安定した姿勢でもって支持させることができる
【００２８】
また、この支持金具は、脚片部と底片部と側片部とからなる部分が左右対称に設けられた形状に形成されているから、製作が容易であるばかりでなく、縦軸材に対する取付けも何等の考慮をはらうことなく所定の取付形状となるように円滑且つ確実に行うことができる。
【００２９】
さらに、上記側片部に上記縦胴縁に対して釘又はビスを打ち込む取付孔を設けているので、両側の支持片部上に縦軸材を正確に支持させた状態で釘又はビスにより固定することができ、その上、両側の底片部から外方に向かって直角に屈折して縦軸材の両側面を被覆する側片部から該縦胴縁の外端部を突出させているので、この縦胴縁の平坦な外面に外装材を直接、接した状態で施工することができ、従って、不陸などが生じることなく外装材を精度よく施工し得る。
【００３０】
【発明の実施の形態】
次に、本発明の具体的な実施の形態を図面について説明すると、図１、図２はその外壁構造の実施の形態１を示すもので、柱や間柱からなる縦軸材Ａ、Ａ（図においては１本の柱のみを示す）の外面間に断熱材Ｂを配設すると共にこの断熱材Ｂの一側端部の外面に一定幅と一定の厚みを有する縦胴縁Ｃを配設し、さらに、左右に隣接する断熱材Ｂ、Ｂの対向側端面間にこれらの断熱材Ｂ、Ｂによって挟着された状態となるように支持金具１を介在させてこの支持金具１の内端部を縦軸材Ａに釘又はビス（以下、ビスＤとする）により固着していると共に外端部を上記縦胴縁Ａの外面に被覆してその被覆部からビスＤ’を縦胴縁Ｃと断熱材Ｂを貫通させて縦軸材Ａにねじ込むことにより縦胴縁Ｃと断熱材Ｂを縦軸材Ａに固着し、左右に間隔を存して固着されている縦胴縁Ｂ、Ｂの上面間に外装材Ｆを張設することによって外壁構造を構成しているものである。
【００３１】
この外壁構造において、縦軸材Ａの外面上に断熱材Ｂや縦胴縁Ｃを固定させている上記支持金具１は、図３に示すように、厚みが１ｍｍ程度の横長長方形状の金属板を屈折することによって形成されてあり、その長さ方向の中央部を隣接する断熱材Ｂ、Ｂの対向側端面間に介在させる矩形状の垂直な平板片からなる脚片２に形成していると共に、この脚片２の外端から上記断熱材Ｂの厚みに等しい幅だけ延長した部分を断熱材Ｂの側端面を被覆する側片部３ａとし、この側片部３ａの外端から該側片部３ａに対して直角に屈折させて縦胴縁Ｃの外面を被覆する被覆片部３ｂを形成し、これらの側片部３ａと被覆片部３ｂとによって横断面Ｌ字状の外側取付片３を構成している。
【００３２】
さらに、上記脚片２の内端から延長している金属板の内端部を上記外端側取付片３の被覆片部３ｂとは反対方向に直角に屈折させて内側取付片４に形成してあり、この内側取付片４の両端部（上下端部）に釘孔又はビス孔（以下、ビス孔５とする）を設けていると共に上記外側取付片３の被覆片部３ｂの中央部にもビス孔６を設けている。なお、内側とは屋内側に面した側をいい、外側とは屋外側に面した側をいう。
【００３３】
このように構成した支持金具１を使用して外断熱工法により上記外壁を施工するには、まず、隣接する縦軸材Ａ、Ａの外面上間に、先に架設状態で施工した断熱材Ｂの一側端面における所定部分に支持金具１の脚片２の対向側面を密接させると共に、該脚片２の内端にこの脚片２に対して直角に屈折している内側取付片４を縦軸材Ａの露出した外面に当てがった状態にして該内側取付片４をビス孔５、５を通じて縦軸材ＡにビスＤをねじ込むことにより縦軸材Ａに固着する。
【００３４】
こうして支持金具１の内側取付片４を縦軸材Ａの外面にビスにより固着すると、断熱材Ｂの一側端面に接している脚片２の外端から外側取付片３の側片部３ａが外方に突出すると共に、該側片部３ａの外端から上記内側取付片４とは反対方向に直角に屈折している被覆片部３ｂが断熱材Ｂの側端部の外面に平行し且つ該外面から縦胴縁Ｃの厚みに相当した間隔を存した状態となる。なお、支持金具１は複数個、縦軸材Ａの長さ方向に所定間隔毎に固着される。
【００３５】
しかるのち、縦胴縁Ｃをその内外面（表裏面）がそれぞれ断熱材Ｂの外面と外側取付片３の被覆片部３ｂの内面とに接してこの横断面逆Ｌ字状の外側取付片３内に挿入し、該縦胴縁Ｃの一側端面外側取付片３の側片部３ａの内側面に当接させる。そうすると、縦胴縁Ｃが所定の位置に正確に配設された状態となり，この状態にして外側取付片３の被覆片部３ｂに設けているビス孔６から上記ビスＤよりも長いビスＤ’を、縦胴縁Ｃから断熱材Ｂの側端部を貫通させて縦軸材Ａにねじ込むことにより縦軸材Ａに断熱材Ｂと縦胴縁Ｃとを固定するものである。
【００３６】
次いで、次の断熱材Ｂの他側端部を上記支持金具１の内側取付片４を取付けている縦軸材Ａの露出面上とこの縦軸材Ａに隣接する縦軸材（図示せず）の外面間に架設状態に配設してその他側端面を上記断熱材Ｂに支持金具１の脚片２を介して突き合わせ状に接合し、上記同様にしてこの断熱材Ｂの一側端部を支持金具１を介して縦胴縁Ｃと共に縦軸材Ａにビスにより固着し、以下、各隣接する縦軸材Ａ間に架設状態に配設される断熱材Ｂとこの断熱材Ｂの側端部上に配設される縦胴縁Ｃとを支持金具１を介して縦軸材Ａに固着する作業を繰り返し行って建物の軸組の外側に断熱材Ｂを施工する。
【００３７】
そして、このように施工された断熱材Ｂの外側に外装材Ｆを上下方向に並列状態に配設してこれらの外装材Ｆを縦胴縁Ｃに釘着することにより外壁を構成するものである。このように構成された外壁によれば、外装材Ｆや縦胴縁Ｃ及び断熱材Ｂの荷重は、支持金具１の外側取付片３における被覆片部３ｂと縦軸材Ａ間にねじ込まれたビスＤ’を介して支持金具１に作用するが、この支持金具１の脚片２の板面が上記作用力に平行する上下方向に向けられているので、支持金具１は上記荷重により屈折したりすることなく該荷重を確実に支持することができる。
【００３８】
その上、この支持金具１の内側取付片４は、その上下２箇所を縦軸材ＡにビスＤ、Ｄにより固着されているから、上記荷重によって支持金具１が釘打ち箇所を中心として回動しようとするのを強固に阻止することができる。
【００３９】
図４は本発明外壁構造の第２の実施の形態を示すもので、縦軸材Ａの外面に突き合わせ状に配設した断熱材Ｂ、Ｂの対向側端部の外面間に跨がるようにして１本の縦胴縁Ｃを配設、固定することができる支持金具１Ａを採用しているものである。
【００４０】
即ち、この支持金具１Ａは図５に示すように、隣接する断熱材Ｂ、Ｂの対向側端面間に介在させる矩形状の垂直な平板片からなる脚片２Ａの内端に該脚片２Ａに対して直角に屈折してなる内側取付片４Ａを形成していると共に、脚片２Ａの外端に縦胴縁Ｃを受け入れる断面コ字状の受け入れ溝７を形成した外側取付片３Ａを一体に設けてなるものである。
【００４１】
詳しくは、支持金具１Ａは上記実施の形態１と同様に金属板を屈折等することによって形成されているもので、脚片２Ａはその内外端間の幅が断熱材Ｂの厚みに等しい矩形状の板片部からなり、この脚片２Ａの内端から延長している金属板の内端部を一側方に向かって直角に屈折させて内側取付片４Ａに形成している一方、脚片２Ａの外端から外方に延長している板部分の両端部を除く部分を上記内側取付片４Ａと同一方向に脚片２Ａに対して直角に屈折してその突出幅が縦胴縁Ｃの横幅の略１／２に等しい底片部３Ａ１  に形成していると共にこの底片部３Ａ１  から延長する部分を外方に向かって直角に屈折して縦胴縁Ｃの厚みに略等しい側片部３Ａ２  に形成し、さらに、この側片部３Ａ２  の外端から延長する部分を上記底片部３Ａ１  に平行する方向に直角に形成して縦胴縁Ｃの外面を被覆する被覆片部３Ａ３  に形成してあり、これらの底片部３Ａ１  と側片部３Ａ２  及び被覆片部３Ａ３  とによって縦胴縁Ｃを受け入れる横向きに開口した断面コ字状の上記受け入れ溝７を形成している。
【００４２】
また、上記脚片２Ａの外端側の両端部を内側取付片４Ａや底片部３Ａ１  に対して反対方向に直角に屈折して先端が上記被覆片部３Ａ３  の先端よりも外側方に突出した長さを有し且つ外面（表面）が上記底片部３Ａ１  の外面と同一平面上で面一となった支持片３Ａ４  を形成している。なお、内側取付片４Ａの両端側にはこの内側取付片４Ａと同一平面上で逆方向に突設した取付片部４Ａ１  、４Ａ１  を形成している。
【００４３】
このように構成した支持金具１Ａを使用して外断熱工法により外壁を施工する手順を図６（イ）〜（ホ）に基づいて説明すると、まず、この支持金具１Ａは縦軸材である柱Ａ’、Ａ’間に一定間隔毎に配設している間柱Ａ’’  、Ａ’’  の外面に各間柱Ａ’’  の長さ方向に所定間隔毎に固着される一方、柱Ａ’の外側角部には支持金具１Ａの脚片２Ａの高さに等しい太さを有する角棒体Ｇを固着する。
【００４４】
そして、断熱材Ｂはその一側端部を支持金具１Ａが固着される間柱Ａ’’  の外面他半部上に支持させ、他側端部を柱Ａ’の露出している外面一半部上にその他側端面を角棒体Ｇに当接させた状態で支持させ、この状態にして該角棒体Ｇ上に幅広い縦胴縁Ｃ’を固着し、図６（ロ）に示すように角棒体Ｇから突出する該縦胴縁Ｃ’の内面と柱Ａ’の外面とでこの断熱材Ｂの他側端部を挟着、固定させた取付状態にする。
【００４５】
各間柱Ａ’’  に対する支持金具１Ａの取付けは、その脚片２Ａを間柱Ａ’’  の横幅の中央部上に位置するように配設して、内側取付片４Ａ及び取付片部４Ａ１  を間柱Ａ’’  の外面上に当てがった状態にし、この状態にして該脚片２Ａの両端部に設けているビス孔５、５を通じて間柱Ａ’’  にビスＤをねじ込むことにより行われる。
【００４６】
この支持金具１Ａは、断熱材Ｂが柱Ａ’と間柱Ａ’’  との外面間上に配設されたのちに間柱Ａ’’  上に固着されるものであり、その際、脚片２Ａを断熱材Ｂの一側端面に当接させた状態にして上述したようにビスＤにより固着する。また、この支持金具１Ａを固着した間柱Ａ’’  と次の間柱Ａ’’  との外面間上に断熱材Ｂを張設する場合には、断熱材Ｂの他側端部をこの支持金具１Ａの外側取付片３Ａにおける底片部３Ａ１の内面と内側取付片４Ａとの間にその他側端面が脚片２Ａに当接するまで挿入して底片部３Ａ１  と脚片２Ａ及び内側取付片４Ａとで囲まれた断面コ字状の空間部に支持させた状態とし、しかるのち、次の間柱Ａ’’  の外面上に載せているこの断熱材Ｂの一側端部における一側端面に次の支持金具１Ａの脚片２Ａを当接させた状態にして固着する。
【００４７】
断熱材Ｂの一側端面に支持金具１Ａの脚片２Ａにおける外側取付片３Ａの底片部３Ａ１とは反対側の側面に当接させる際に、該支持金具１Ａの脚片２Ａの外端側両端部に該脚片２Ａに対して直角に屈折している支持片３Ａ４  、３Ａ４  の内面を断熱材Ｂの一側端部の外面に押しつけながら脚片２Ａの内端側両端部に上記支持片３Ａ４  と同一方向に突設している取付片部４Ａ１  、４Ａ１  を断熱材Ｂの一側端部の内面と間柱Ａ’’  の外面間に差し込んで、これらの支持片３Ａ４  と取付片部４Ａ１  間で断熱材Ｂの一側端部を挟持させた状態とし、この状態から支持金具１Ａを間柱Ａ’’  上で断熱材Ｂ側に押し進めることによって該断熱材Ｂの一側端面を脚片２Ａの側面に当接させ、しかるのち、上述したように該支持金具１Ａの内側取付片４Ａの両端部に設けているビス孔５、５を通じて間柱Ａ’’  にビスＤをねじ込むことによって支持金具１Ａを間柱Ａ’’  上に固着するものである。
【００４８】
こうして支持金具１Ａを間柱Ａ’’  の外面にビスにより固着したのち、図６（ニ）に示すように縦胴縁Ｃを外側取付片３Ａにおける底片部３Ａ１  と側片部３Ａ２  及び被覆片部３Ａ３  とによって形成された受け入れ溝７に挿入する。この際、受け入れ溝７は断熱材Ｂの一側端部の外面上に向かって横向きに開口してあり、且つ脚片２Ａの外端側両端部には上述したように上記底片部３Ａ１  に対して反対方向に直角に屈折した支持片３Ａ４  を設けていると共にこの支持片３Ａ４  の先端を上記被覆片部３Ａ３  の先端よりも外側方に突出させているので、図７に示すように、縦胴縁Ｃの内面側の一側角部を支持片３Ａ４  上に当てた状態にしてこの支持片３Ａ４  上を滑らせなが受け入れ溝７内に挿入することにより縦胴縁Ｃを容易に受け入れ溝７内に収納状態に配設することができると共に、該縦胴縁Ｃの一側端面が側片部３Ａ２  に当接して縦胴縁Ｃが正確な取付位置に保持しておくことができる。
【００４９】
さらに、縦胴縁Ｃが受け入れ溝７内に配設された状態においては、その横幅方向の中央部が支持金具１Ａの脚片２Ａ上に位置し、従って、該縦胴縁Ｃは脚片２Ａの両側に突き合わ状に施工される隣接する断熱材Ｂ、Ｂの対向端部間に跨がった配置状態となる。
【００５０】
この状態にして図６（ニ）（ホ）に示すように、外側取付片３Ａの被覆片部３Ａ３において、脚片２Ａに対して支持片３Ａ４  側の部分に設けられているビス孔６から長いビスＤ’を、縦胴縁Ｃから断熱材Ｂの一側端部を貫通させて間柱Ａ’’  にねじ込むことにより間柱Ａ’’  に断熱材Ｂと縦胴縁Ｃとを固定するものである。
【００５１】
この際、外側取付片３Ａにおける上記底片部３Ａ１  と支持片３Ａ４  とはその外面を同一平面上で面一となるように形成されているから、これらの底片部３Ａ１  と支持片３Ａ４  とによって支持される縦胴縁Ｃの内面は常にこれらの底片部３Ａ１  と支持片３Ａ４  との外面と同一平面に保持され、縦胴縁Ｃを上記釘着によって固定する時に変形する虞れはなく、正確な取付形態を維持するものである。
【００５２】
また、この縦胴縁Ｃは上述したように、支持金具１Ａの脚片２Ａを挟持している隣接する断熱材Ｂ、Ｂ間に跨がった状態で配設されるので、この支持金具１Ａの上記被覆片部３Ａ３  から縦胴縁Ｃにねじ込んでいる長いビスＤ’が該支持金具１Ａの内側取付片４Ａを間柱Ａ’’  に固着している短いビスＤ側に接近した状態となってこれらのビスＤ、Ｄ’間の間隔が上記実施の形態１におけるビスＤ、Ｄ’間の間隔よりも狭くなり、従って、柱Ａ’よりも幅狭い間柱Ａ’’  に対しても確実にこれらのビスＤ、Ｄ’をねじ込んで支持金具１Ａを固着させることができる。
【００５３】
こうして施工された断熱材Ｂの外側に上記実施の形態１と同様に、外装材Ｆを上下方向に並列状態に配設してこれらの外装材Ｆを縦胴縁Ｃにビスで固着することにより外壁を構成する。
【００５４】
図８は上記実施の形態２における支持金具１Ａの変形例を示すもので、脚片２Ａの外端側に設けている外側取付片３Ａにおいて、互いに直角に連なっている底片部３Ａ１  と側片部３Ａ２  との角部における、底片部３Ａ１  の側端部３Ａ１’を脚片２Ａ側の該底片部部分よりも平行に持ち上げた状態に屈曲させて、脚片２Ａ側の内側取付片４Ａと底片部３Ａ１  間の幅よりも側片部３Ａ２  側における内側取付片４Ａの先端部と底片部３Ａ１の上記側端部３Ａ１’間の幅を広くし、図９に示すように、内側取付片４Ａと底片部３Ａ１  間に対する断熱材Ｂの他側端部の挿入作業が容易に行えるようにしている。
【００５５】
さらに、脚片２Ａの上端に対して上記底片部３Ａ１  とは反対方向に屈折している支持片３Ａ４  、３Ａ４  においても、その先端部３Ａ４’側を脚片２Ａとの連設部側よりも平行に持ち上げた状態に屈曲させて、脚片２Ａの内端からこれらの支持片３Ａ４  と同一方向に屈折している取付片部４Ａ１  、４Ａ１  間との幅を先端側が幅広くなるように形成し、図１０に示すように、断熱材Ｂの一側端部に対するこの支持片３Ａ４  の取付け作業が容易に行えるようにしている。
【００５６】
なお、断熱材Ｂの他側端部における内面を支持する支持金具１Ａの上記内側取付片４Ａには上述したようにビスＤが縦軸材Ａにねじ込まれていてそのビス頭が内側取付片４Ａから突出した状態となっているので、特に、断熱材Ｂがポリエチレン、ポリスチレン、ウレタンフェノール等の発泡合成樹脂系の硬質断熱材である場合に、該断熱材Ｂの他側端部を外側取付片３Ａの底片部３Ａ１  と内側取付片４Ａ間の空間部に挿入する際にビス頭が邪魔になるので、図１１に示すように、断熱材Ｂの他側端部における内側角部を面取り状に切除しておけば、断熱材Ｂの挿入作業が円滑に行うことができる。なお、断熱材Ｂが繊維系の容易に変形可能な軟質弾性材である場合には切除しておく必要はない。
【００５７】
図１２〜図１４は本発明の第３の実施の形態を示すもので、上記実施の形態２における支持金具１Ａにおいては、一つの脚片２Ａの内外端に内側取付片４Ａと外側取付片３Ａとを形成しているが、この実施の形態３における支持金具１Ｂにおいては、脚片を間柱Ａ’’  の両側面間の幅よりも狭い間隔を存して左右に互いに平行に配設した矩形状の平板片からなる両側脚片部２Ｂ、２Ｂ’  によって形成し、これらの両側脚片部２Ｂ、２Ｂ’  の内端に細幅板状の内側取付片４Ｂを両側脚片部２Ｂ、２Ｂ’  に対して直角に屈折した状態で連設していると共に、上記両側脚片部２Ｂ、２Ｂ’  の内側取付片４Ｂからの高さ（内外端の幅）は同一高さに形成されていて、一方の脚片部２Ｂの外端に底片部３Ｂ１  と側片部３Ｂ２  と被覆片部３Ｂ３  とからなる横向きに開口した縦胴縁受け入れ溝７を設け、他方の脚片部２Ｂ’  の外端に支持片３Ｂ４  を一体に設けた構造としている。
【００５８】
詳しくは、内側取付片４Ｂの長さ方向の両端部を両側脚片部２Ｂ、２Ｂ’  の内端からその長さを延長する方向に突出させてその突出端部にビス孔５、５を設けてあり、また、両側脚片部２Ｂ、２Ｂ’  において、一方の脚片部２Ｂの外端から他方の脚片部２Ｂ’  に対して反対方向に直角に屈折させて一定幅を有する上記底片部３Ｂ１  を形成していると共にこの底片部３Ｂ１  の先端から外方に向かって起立するように直角に屈折して上記側片部３Ｂ２  を形成し、さらに、この側片部３Ｂ２  の先端から上記底片部３Ｂ１  に平行するように直角に折り返して先端が他方の脚片部２Ｂ’  の外端延長上に達している被覆片部３Ｂ３  を形成している。
【００５９】
また、他方の脚片部２Ｂ’  の外端には、この外端から上記外側取付片３Ｂの底片部３Ｂ１  とは相反する方向に直角に屈折した上記支持片３Ｂ４  を形成している。さらに、内側取付片４Ｂの長さ方向の中央部には長さ方向に一定の間隔を存してビス孔よりも大径の通孔８、８を設けていると共にこれらの通孔８、８の中央部の垂直上方に対向する上記被覆片部３Ｂ３  の先端部にビス孔６、６を設けている。
【００６０】
このように構成した支持金具１Ｂを使用して外断熱工法により外壁を施工する手順を図１４（イ）〜（ホ）に基づいて説明すると、この支持金具１Ｂは、幅狭い上記間柱Ａ’’  に対しては１個宛、該間柱Ａ’’  の長さ方向に一定間隔毎に固着し、幅広い上記柱Ａ’に対しては２個を一組として該柱Ａ’の横幅方向に並設した状態で固定し、この一組の支持金具１Ｂ、１Ｂを上記間柱Ａ’’  に固着した支持金具１Ｂと同じ間隔毎に柱Ａ’の長さ方向に固着する。
【００６１】
また、断熱材Ｂの厚さは支持金具１Ｂの高さ、即ち、内側取付片４Ｂと被覆片部３Ｂ３  間の寸法に略等しく形成されていると共に断熱材Ｂはグラスウール、ロックウールのような繊維状軟質材からなるので、押し込めば容易に変形して図に示すように断熱材Ｂは支持金具１Ｂに密着される。断熱材Ｂが発泡合成樹脂製の硬質断熱材の場合はその両側端部における外面側の角部を、断面Ｌ字状に切り欠いて用いる。
【００６２】
外壁の施工手順としては、まず、隣接する柱Ａ’と間柱Ａ’’  との外面間や間柱Ａ’’  、Ａ’’  の外面間に一定厚みを有する下地材１０を柱の長さ方向に一定間隔毎に固着したのち、図１４（イ）に示すように、先に施工した断熱材Ｂの一側端面に支持金具１Ｂの一方の脚片部２Ｂを突き合わせるように当接させて断熱材Ｂにおける一側端部を外側取付片３Ｂの底片部３Ｂ１  と下地材１０の間に挿嵌して保持させた状態にすると共に段部９ａに外側取付片３Ｂの底片部３Ｂ１  と側片部３Ｂ２  を係合させた状態にする。
【００６３】
この状態にして該支持金具１Ｂの内側取付片４Ｂに設けているビス孔５、５から下地材１０を貫通させてビスＤを間柱Ａ’’  にねじ込むことによりこの支持金具１Ｂを固着する。
【００６４】
次いで、この間柱Ａ’’  と柱Ａ’間に次の断熱材Ｂを張設する場合、まず、この断熱材Ｂの他側端部を、図１４（ロ）に示すように、間柱Ａ’’  に下地材１０を介して固着している上記支持金具１Ｂの他方の脚片部２Ｂ’  の外端から直角に突設した支持片３Ｂ４  と上記下地材１０との間の間隔部に挿嵌してその他側端面を脚片部２Ｂ’  に当接させた状態に保持させる一方、該断熱材Ｂの一側端部を柱Ａ’の外面における他側端部上に支持させる。
【００６５】
そして、この柱Ａ’に新たな支持金具１Ｂを取付ける際に、この支持金具１Ｂの他方の脚片部２Ｂ’  を上記断熱材Ｂの一側端部側に向けた状態にして該脚片部２Ｂ’  を断熱材Ｂの一端端面に当接させると共にその脚片部２Ｂ’  の外端に屈折形成している支持片３Ｂ４  を段部９ａに係止させ、この状態にしてこの支持金具１Ｂの内側取付片４Ｂに設けているビス孔５、５から下地材１０を貫通させてビスＤを柱Ａ’にねじ込むことにより、この支持金具１Ｂを柱Ａ’に固着する。
【００６６】
さらに、この柱Ａ’とこの柱Ａ’に隣接する次の間柱Ａ’’  との外面間に断熱材Ｂを張設するに際しては、図１４（ハ）に示すように、柱Ａ’に固着した上記支持金具１Ｂに新たな支持金具１Ｂを、互いにその外側取付片３Ｂ、３Ｂにおける側片部３Ｂ２  、３Ｂ２を突き合わせた状態、即ち、支持金具１Ｂ、１Ｂ同士が背中合わせ状態となるように並設して、この支持金具１Ｂの内側取付片４Ｂを上記同様にして柱Ａ’にビスＤにより固着する。
【００６７】
しかるのち、この支持金具１Ｂの他方の脚片部２Ｂ’  の外端から直角に突設した支持片３Ｂ４  と上記下地材１０との間の間隔部に図１４（ニ）に示すように、新たな断熱材Ｂの他側端部を挿嵌、保持させると共にこの断熱材Ｂの一側端部を上記柱Ａ’に隣接する間柱Ａ’’  の外面上に下地材１０を介して支持させ、次いで、この断熱材Ｂの一側端部に新たな支持金具１Ｂの一方の脚片部２Ｂを突き合わせるように当接させて上記同様に、該断熱材Ｂにおける一側端部をこの支持金具１Ｂにおける外側取付片３Ｂの底片部３Ｂ１  と下地材１０の間に挿嵌して保持させた状態にすると共に段部９ａに外側取付片３Ｂの底片部３Ｂ１  と側片部３Ｂ２  を係合させた状態にし、この状態にして該支持金具１Ｂの内側取付片４Ｂに設けているビス孔５、５から下地材１０を貫通させてビスＤを間柱Ａ’’  にねじ込むことによりこの支持金具１Ｂを間柱Ａ’’  上に固着する。
【００６８】
さらに、全ての支持金具１Ｂは、柱Ａ’や間柱Ａ’’  上に固着されたのち図１４（ホ）に示すように、その両側脚片部２Ｂ、２Ｂ’  間の隙間に断熱片Ｂ１を挿入、充填すると共に、一方の脚片部２Ｂの外端に設けている底片部３Ｂ１  と側片部３Ｂ２  と被覆片部３Ｂ３  とからなる横向きに開口した縦胴縁受け入れ溝７内に、他方の脚片部２Ｂ’  の支持片３Ｂ４  上に亘って縦胴縁Ｃを挿入したのち、被覆片部３Ｂ３  に設けているビス孔６から縦胴縁Ｃ、断熱片Ｂ１、内側取付片４Ｂに設けている通孔８、８を貫通して長いビスＤ’を柱Ａ’や間柱Ａ’’  にねじ込むことにより支持金具１Ｂを介して縦胴縁Ｃを固定する。また、柱Ａ’の外面に互いに接した状態で並設、固着している支持金具１Ｂ、１Ｂの脚片部２Ｂ、２Ｂと底片部３Ｂ１  、３Ｂ１  で囲まれた空間部に断熱片Ｂ２を収納、充填して柱Ａ’や間柱Ａ’’  側から外部に通じる隙間をこの断熱片Ｂ２  によって遮断し、断熱効果を高めている。
【００６９】
上記のように断熱材Ｂの配設作業と支持金具１Ｂの固着作業を順次繰り返し行って建物の軸組の外側に断熱材Ｂを施工したのち、断熱材Ｂの外側に外装材（図示せず）を上下方向に並列状態に配設してこれらの外装材を縦胴縁Ｃ上にビスで固着することにより外壁を構成するものである。
【００７０】
図１５〜図１７は本発明の第４の実施の形態を示すもので、上記実施の形態１〜３のいずれにおいても、支持金具１、１Ａ、１Ｂの脚片外端側に設けている外側取付片３、３Ａ、３Ｂは、縦胴縁Ｃを側方から受け入れるように形成して、縦胴縁Ｃの外面を外側取付片３、３Ａ、３Ｂの被覆片部３ｂ、３Ａ３  、３Ｂ３  によって被覆される構造に構成しているが、この実施の形態４における支持金具１Ｃにおいては、このような被覆片部３ｂ、３Ａ３  、３Ｂ３  を設けることなく縦胴縁Ｃを外方側、即ち、建築物の前方側から配設することができると共に、縦胴縁Ｃの外面を露出状態にして段差をなくし、外装材を一層正確に張設することができるように構成している。
【００７１】
即ち、上記支持金具１Ｃは、脚片を間柱Ａ’’  の両側面間の幅よりも狭い間隔を存して左右に互いに平行に配設した矩形状の平板片からなる両側脚片部２Ｃ、２Ｃ’  によって形成し、これらの両側脚片部２Ｃ、２Ｃ’  の内端に細幅板状の内側取付片４Ｃを両側脚片部２Ｃ、２Ｃ’  に対して直角に屈折した状態で連設していると共に、上記両側脚片部２Ｃ、２Ｃ’  の内側取付片４Ｃからの高さ（内外端の幅）は同一高さに形成されている。このような両側脚片部２Ｃ、２Ｃ’  と内側取付片４Ｃとの形状は上記実施の形態３と同じであるが、本実施の形態４においては、外側取付片３Ｃを、両側脚片部２Ｃ、２Ｃ’  の上端から互いに離間する方向に直角に屈折し且つ外面を同一平面上に設けている同一形状（長方形状）、同一大きさの底片部３Ｃ１  、３Ｃ１’と、これらの底片部３Ｃ１  、３Ｃ１’の先端からそれぞれ起立する方向に直角に屈折した一定高さの側片部３Ｃ２  、３Ｃ２’とから形成している。従って、この支持金具１Ｃは、内側取付片４Ｃの幅方向の中央を通る垂直面に対して左右対称形状に形成されている。
【００７２】
さらに、両側側片部３Ｃ２  、３Ｃ２’間の幅を縦胴縁Ｃの横幅に略等しく形成していると共にこれらの側片部３Ｃ２  、３Ｃ２’の底片部３Ｃ１  、３Ｃ１’からの高さを縦胴縁Ｃの内外面間の太さよりも低くして底片部３Ｃ１  、３Ｃ１’と両側側片部３Ｃ２  、３Ｃ２’とで囲まれている縦胴縁収納溝部１１内に両側側片部３Ｃ２  、３Ｃ２’間の外方に向かって開口している縦胴縁挿入口１２を通じて縦胴縁Ｃを収納した状態においては、該縦胴縁Ｃの一部を収納溝部１１から外方に突出させ、その外面を露出させている。また、両側側片部３Ｃ２  、３Ｃ２’の両端部にはビス孔６、６が設けられていると共に、上記内側取付片４Ｃの両端部にもビス孔５、５が設けられてあり、さらにこの内側取付片４Ｃの長さ方向の中央部にはビス孔よりも大径の通孔８が設けられている。
【００７３】
このように構成した支持金具１Ｃは、図１５に示すように、先に施工した断熱材Ｂの一側端面に支持金具１Ｂの一方の脚片部２Ｂを突き合わせるように当接させて該断熱材Ｂにおける一側端部をこの支持金具１Ｃにおける外側取付片３Ｃの底面部３Ｃ１  と間柱等の縦軸材Ａ上に固定している下地材１０との間に挿嵌させた状態とし、この状態にして支持金具１Ｃの内側取付片４Ｃをそのビス孔５、５を通じてビス（図示せず）を下地材１０を通じて縦軸材Ａにねじ込むことにより支持金具１Ｃを固着する。なお、支持金具１Ｃは上記実施の形態１〜３と同様に各縦軸材Ａの外面に長さ方向に一体間隔毎に固着される。また、断熱材Ｂは上記実施の形態３と同様に、厚さが支持金具１Ｃの高さに略等しくした繊維状軟質材を用いる。発泡合成樹脂系の硬質断熱材野場合は両側端部における外面側の角部を、断面Ｌ字状に切り欠いて外側取付片３Ｃの底面部３Ｃ１  （３Ｃ１’）と側片部３Ｃ２  （３Ｃ２’）をそれぞれ係合させる段部９ａ、９ｂに形成している。
【００７４】
しかるのち、両側の底片部３Ｃ１  、３Ｃ１’と側片部３Ｃ２  、３Ｃ２’とで囲まれている収納溝部１１内に挿入口１２を通じて縦胴縁Ｃを収納し、上記断熱材Ｂを配設していない側の外側取付片３Ｃの側片部３Ｃ２’から該側片部３Ｃ２’に設けているビス孔６を通じてビスＤを縦胴縁Ｃにねじ込むことにより縦胴縁Ｃを固着する。この際、縦胴縁Ｃはその平坦な内面を面一状に並設している両側の底片部３Ｃ１  、３Ｃ１’上に支持されているので、その内面と平行な外面を支持金具１Ｃの高さ方向に対して直交する方向に向けた正確な姿勢でもってビスＤにより支持金具１Ｃに固定され、且つその外面を支持金具１Ｃの両側側片部３Ｃ２  、３Ｃ２’の先端から外方に突出させた状態となる。
【００７５】
また、縦軸材Ａに対する支持金具１Ｃの固着は、収納溝部１１内に収納、固定された上記縦胴縁Ｃの外面から長いビスＤ’をねじ込んで該縦胴縁Ｃを貫通させたのち、両側の脚片部２Ｃ、２Ｃ’  間を通じて内側取付片４Ｃの通孔８から縦軸材Ａ内に該ビスＤ’の先端部をねじ込むことにより行われる。
【００７６】
こうして支持金具１Ｃを縦軸材Ａ上に固着したのち、この支持金具１Ｃにおける他方の脚片部２Ｃ’  側に次に張設すべき断熱材Ｂの一方の側端部を突き合わせ状に配設し、該断熱材Ｂの他方の側端部を上記縦軸材Ａに隣接する次の縦軸材上に配設してこの断熱材Ｂの側端部に上記同様にして新たな支持金具１Ｃを突き合わせ状にして縦胴縁Ｃと共に固着し、以下、この作業を繰り返し行って建物の軸組の外側に断熱材Ｂを施工し、しかるのち、断熱材Ｂの外側に外装材Ｆを配設してこれらの外装材を縦胴縁Ｃに釘、ビス等で固着することにより外壁を構成するものである。この際、縦胴縁Ｃの平坦な外面が支持金具１Ｃから外方に突出して露出させているので、この縦軸材の平坦な外面に沿って外装材Ｆを精度よく確実に張設、固定させることができるものである。
【図面の簡単な説明】
【図１】本発明の実施の形態１を示す簡略斜視図、
【図２】その要部の横断面図、
【図３】支持金具の斜視図、
【図４】本発明の実施の形態２を示す横断面図、
【図５】その支持金具の斜視図、
【図６】施工手順を示す簡略横断面図、
【図７】縦胴縁の取付時の状態を示す横断面図、
【図８】支持金具の変形例を示す斜視図、
【図９】その施工状態を示す要部の横断面図、
【図１０】その支持金具を取付ける時の状態を示す横断面図、
【図１１】内面側の角部を面取りした断熱材の挿入状態を示す斜視図、
【図１２】本発明の実施の形態３に使用する支持金具の斜視図、
【図１３】その断面図、
【図１４】施工手順を示す簡略横断面図、
【図１５】本発明の実施の形態４を示す横断面図、
【図１６】その支持金具の斜視図、
【図１７】支持金具の断面図、
【図１８】従来例を示す縦断側面図、
【図１９】荷重によってビスが屈曲した状態の縦断側面図。
【符号の説明】
１  支持金具
２  脚片
３  外側取付片
３ａ  側片部
３ｂ  被覆片部
４  内側取付片
５、６  ビス孔
７  縦胴縁受け入れ溝
Ａ  縦軸材
Ｂ  断熱材
Ｃ  縦胴縁
Ｄ、Ｄ’  ビス
Ｆ  外装材
【図１】
2004278004.tif 000003
【図２】
2004278004.tif 000004
【図３】
2004278004.tif 000005
【図４】
2004278004.tif 000006
【図５】
2004278004.tif 000007
【図６】
2004278004.tif 000008
【図７】
2004278004.tif 000009
【図８】
2004278004.tif 000010
【図９】
2004278004.tif 000011
【図１０】
2004278004.tif 000012
【図１１】
2004278004.tif 000013
【図１２】
2004278004.tif 000014
【図１３】
2004278004.tif 000015
【図１４】
2004278004.tif 000016
【図１５】
2004278004.tif 000017
【図１６】
2004278004.tif 000018
【図１７】
2004278004.tif 000019
【図１８】
2004278004.tif 000020
【図１９】
2004278004.tif 000021